(57)【要約】【課題】機能の変更や追加に対し容易に対応可能な映像表示装置を提供する。【解決手段】カメラ部２から出力される映像データと、チューナ部３およびＯＦＤＭ復調部４により受信され伸張演算ユニット６で処理されて出力されるテレビ放送の映像データと、のいずれか一方を出力制御ユニット７で選択して出力し、主処理部８を介して表示部１０に入力することで、カメラで撮像中の映像またはテレビ放送された映像を表示することができる。チューナ部３、ＯＦＤＭ復調部４およびデータ処理部５が主処理部８とは別モジュール化されているため、これらを変更するだけで、異なる放送に対応することもできる。【選択図】図１
2006180345.tif 000002
【特許請求の範囲】
【請求項１】
映像データを表示する携帯型の映像表示装置であって、
対象物を撮像した第１の映像データを出力する撮像手段と、
所定形式の映像データを出力するデータ出力手段と、
前記撮像手段から入力された前記第１の映像データと、前記データ出力手段から入力された前記所定形式の映像データに演算処理を施した第２の映像データと、のいずれか一方を選択して出力するデータ処理手段と、
前記映像表示装置全体の動作を制御する機能を有し、前記データ処理手段から入力された映像データを出力する主処理手段と、
前記主処理手段から出力された前記映像データを表示する表示手段と、
を備え、
前記データ処理手段と前記主処理手段とは別個のモジュールであることを特徴とする映像表示装置。
【請求項２】
請求項１に記載の映像表示装置であって、
前記データ処理手段は、前記主処理手段による制御に応じて出力するデータを選択することを特徴とする映像表示装置。
【請求項３】
請求項１または請求項２に記載の映像表示装置であって、
前記データ出力手段の出力する前記所定形式の映像データは、テレビ放送の電波を受信し復調したデータであることを特徴とする映像表示装置。
【請求項４】
請求項１ないし請求項３のいずれかに記載の映像表示装置であって、
前記データ出力手段の出力する前記所定形式の映像データは所定の圧縮符号化形式で圧縮符号化されたデータであり、
前記データ処理手段の行う前記演算処理は前記所定の圧縮符号化形式に対応した伸張復号化処理であることを特徴とする映像表示装置。
【請求項５】
請求項４に記載の映像表示装置であって、
前記所定の圧縮符号化形式はＭＰＥＧ４形式であることを特徴とする映像表示装置。
【請求項６】
請求項３ないし請求項５のいずれかに記載の映像表示装置であって、
前記テレビ放送は地上デジタルテレビ放送であり、
前記所定の圧縮符号化形式はＨ.２６４形式であることを特徴とする映像表示装置。
【請求項７】
請求項１ないし請求項６のいずれかに記載の映像表示装置であって、
当該映像表示装置は携帯電話であることを特徴とする映像表示装置。
【請求項８】
外部から入力される複数の映像データのうち少なくとも一つの前記映像データに所定の演算処理を施す手段と、
複数の前記映像データと前記所定の演算処理を施した映像データの中から、外部から入力される制御信号に応じて選択した一つの映像データを出力する手段と、
を備えることを特徴とする映像データ処理装置。
【請求項９】
請求項８に記載の映像データ処理装置であって、
外部から入力される複数の前記映像データは所定の圧縮符号化形式で圧縮符号化された映像データを含み、
前記所定の演算処理は前記所定の圧縮符号化方式に対応した伸張復号化処理であることを特徴とする映像データ処理装置。
【請求項１０】
請求項８または請求項９に記載の映像データ処理装置であって、
外部から入力される複数の前記映像データは、対象物を撮像した映像データと、テレビ放送を受信して復調した映像データと、を含むことを特徴とする映像データ処理装置。  
【請求項１１】
請求項８または請求項９に記載の映像データ処理装置であって、
前記所定の圧縮符号化方式はＭＰＥＧ４形式であることを特徴とする映像データ処理装置。
【請求項１２】
請求項１０または請求項１１に記載の映像データ処理装置であって、
前記テレビ放送は地上デジタルテレビ放送であり、
前記所定の圧縮符号化形式はＨ.２６４形式であることを特徴とする映像データ処理装置。
【発明の詳細な説明】
【技術分野】
【０００１】
本発明は、複数の入力映像から選択した映像を表示する技術に関する。
【背景技術】
【０００２】
近年、携帯電話や携帯ゲーム機等の携帯端末を映像表示装置として利用することが多くなっている。
【０００３】
例えば、図２に示した携帯電話１１は、電話機として動作するための通話機能等、携帯電話の基本機能を実現する主処理部１３と、主処理部１３に接続されて主処理部１３での処理内容等を表示する液晶ディスプレイ等から成る表示部１４と、対象物を撮像した映像データを主処理部１３に入力するカメラ部１２と、から構成される。カメラ部１２、主処理部１３および表示部１４は別々にモジュール化されている。そして、主処理部１３を中心に各部が接続されて、データや命令コマンドを送受信することで各種機能を実現している。
【０００４】
カメラ部１２で撮像された映像データはＹＵＶ形式で出力され、主処理部１３を介して表示部１４に入力されて表示される。
【０００５】
このとき、主処理部１３では、カメラ部１２から入力されたＹＵＶ形式の映像データを表示部１４である液晶ディスプレイ等で表示可能なＲＧＢ形式のデータに変換するだけで、当該映像データを表示部１４に表示させる、いわゆるライブビュー機能を実現することができる。あるいは表示部１０自体がＹＵＶ信号からＲＧＢ信号へ変換する機能を有していれば、図２に示すように、主処理部１３は、カメラ部１２から入力されたデータをそのまま表示部１０へ出力するだけでよい。
【０００６】
最近の携帯電話１１は多機能化しており、主処理部１３は、このような撮像映像の表示機能だけでなく様々な機能を有している。
【０００７】
例えば、カメラ部１２から入力される映像データを静止画像または動画像として記録保存する機能は勿論のこと、電子メールやインターネットの利用を実現する機能や、文書作成やスケジュール管理を行う機能等についても、携帯電話１１の基本機能として主処理部１３によって実現されることが多い。
【０００８】
そして、現在も利用者の要求に応じて様々な機能が追加された携帯電話１１が開発されている。
【発明の開示】
【発明が解決しようとする課題】
【０００９】
従来の携帯電話１１に対する機能の変更や追加が、主処理部１３において動作するソフトウェアプログラム等の追加変更のみで対応できればよいが、機能によっては半導体部品を初めとする様々なハードウェアを追加する必要がある。
【００１０】
例えば、近年、地上デジタルテレビ放送が開始され、車両等の移動体や携帯端末でも良好にテレビ放送を受信し視聴可能な環境が整いつつある。これらの放送では、ＡＶＣ／Ｈ.２６４（ISO/IEC 14496-10 MPEG-4 Part10 Advanced Video Coding／ITU-T Rec. H.264：以下Ｈ．２６４と記す）形式で圧縮符号化されたデータがＯＦＤＭ方式で送信される。
【００１１】
地上デジタルテレビ放送で受信するデータは、カメラ部１２で撮像されるのと同様に映像データを含んでいるが、Ｈ.２６４形式で圧縮符号化されているため、これを伸張する処理が必要となる。そのため、図２に示した携帯電話１１に、新たに地上デジタルテレビ放送で受信した映像を表示する機能を追加する場合、受信電波からの選局やＯＦＤＭ復調だけではなく、Ｈ.２６４形式に対応した伸張演算処理を実現するハードウェアをも追加する必要がある。
【００１２】
主処理部１３に対して、このようなハードウェアを追加するためには、例えば基板上の部品の変更、追加、配置の見直し等が必要となり、主処理部１３の基本構造から設計変更することが必要となる場合がある。
【００１３】
そして、このように従来の主処理部１３を流用できない場合、新たな主処理部１３の開発や製造のために多大なコストや手間が必要となるという問題があった。
【００１４】
また、このように特定の機能を重視して専用設計された主処理部１３は汎用性を有さないため、将来的に機能の変更や追加が必要となった場合に、また同様に、基本構造から見直す必要に迫られる可能性がある。
【００１５】
そこで、この発明の課題は、複数の入力映像から選択した映像を表示することが可能であり、さらに将来的な入力映像の変更や追加に対し、容易に対応可能な技術を提供することにある。
【課題を解決するための手段】
【００１６】
上記課題を解決すべく、請求項１の発明は、映像データを表示する携帯型の映像表示装置であって、対象物を撮像した第１の映像データを出力する撮像手段と、所定形式の映像データを出力するデータ出力手段と、前記撮像手段から入力された前記第１の映像データと、前記データ出力手段から入力された前記所定形式の映像データに演算処理を施した第２の映像データと、のいずれか一方を選択して出力するデータ処理手段と、前記映像表示装置全体の動作を制御する機能を有し、前記データ処理手段から入力された映像データを出力する主処理手段と、前記主処理手段から出力された前記映像データを表示する表示手段とを備え、前記データ処理手段と前記主処理手段とは別個のモジュールであることを特徴とする。
【００１７】
また、請求項２の発明は、請求項１の発明に係る映像表示装置であって、前記データ処理手段は、前記主処理手段による制御に応じて出力するデータを選択することを特徴とする。
【００１８】
また、請求項３の発明は、請求項１または請求項２の発明に係る映像表示装置であって、前記データ出力手段の出力する前記所定形式の映像データは、テレビ放送の電波を受信し復調したデータであることを特徴とする。
【００１９】
また、請求項４の発明は、請求項１ないし請求項３のいずれかの発明に係る映像表示装置であって、前記データ出力手段の出力する前記所定形式の映像データは所定の圧縮符号化形式で圧縮符号化されたデータであり、前記データ処理手段の行う前記演算処理は前記所定の圧縮符号化形式に対応した伸張復号化処理であることを特徴とする。
【００２０】
また、請求項５の発明は、請求項４の発明に係る映像表示装置であって、前記所定の圧縮符号化形式はＭＰＥＧ４形式であることを特徴とする。
【００２１】
また、請求項６の発明は、請求項３ないし請求項５のいずれかの発明に係る映像表示装置であって、前記テレビ放送は地上デジタルテレビ放送であり、前記所定の圧縮符号化形式はＨ.２６４形式であることを特徴とする。
【００２２】
また、請求項７の発明は、請求項１ないし請求項６のいずれかの発明に係る映像表示装置であって、当該映像表示装置は携帯電話であることを特徴とする。
【００２３】
また、請求項８の発明は、外部から入力される複数の映像データのうち少なくとも一つの前記映像データに所定の演算処理を施す手段と、複数の前記映像データと前記所定の演算処理を施した映像データの中から、外部から入力される制御信号に応じて選択した一つの映像データを出力する手段とを備えることを特徴とする。
【００２４】
また、請求項９の発明は、請求項８の発明に係る映像データ処理装置であって、外部から入力される複数の前記映像データは、所定の圧縮符号化形式で圧縮符号化された映像データを含み、前記所定の演算処理は、前記所定の圧縮符号化方式に対応した伸張復号化処理であることを特徴とする。
【００２５】
また、請求項１０の発明は、請求項８または請求項９の発明に係る映像データ処理装置であって、外部から入力される複数の前記映像データは、対象物を撮像した映像データと、テレビ放送を受信して復調した映像データとを含むことを特徴とする。
【００２６】
また、請求項１１の発明は、請求項８または請求項９の発明に係る映像データ処理装置であって、前記所定の圧縮符号化方式はＭＰＥＧ４形式であることを特徴とする。
【００２７】
また、請求項１２の発明は、請求項１０または請求項１１の発明に係る映像データ処理装置であって、前記テレビ放送は地上デジタルテレビ放送であり、前記所定の圧縮符号化形式はＨ.２６４形式であることを特徴とする。
【発明の効果】
【００２８】
請求項１に記載の発明によれば、撮像データと、所定形式の映像データを演算処理したデータと、のいずれか一方を選択して表示することができる。また、データ出力手段やデータ処理手段の機能や動作を変更するだけで、異なる形式の映像データの演算処理や表示を容易に実現することができる。
【００２９】
請求項２に記載の発明によれば、利用者は、表示装置全体を制御する主処理手段に対して指示することで、データ処理手段で行われる映像データの選択を制御することができる。
【００３０】
請求項３に記載の発明によれば、カメラ等で撮像された映像データと、テレビ放送された映像データとのいずれか一方を表示することができる。
【００３１】
請求項４に記載の発明によれば、所定の圧縮符号化形式で圧縮符号化された映像データが入力されても、これを伸張復号化して表示することができる。
【００３２】
請求項５に記載の発明によれば、ＭＰＥＧ４形式で圧縮符号化された映像データが入力されても、これを伸張復号化して表示することができる。
【００３３】
請求項６に記載の発明によれば、カメラ等で撮像された映像データと、Ｈ.２６４形式で圧縮符号化されて放送される地上デジタルテレビ放送の映像データとのいずれか一方を表示することができる。
【００３４】
請求項７に記載の発明によれば、カメラ等で撮像された映像データと、テレビ放送された映像データとのいずれか一方を携帯電話上に表示することができる。
【００３５】
請求項８に記載の発明によれば、複数の映像データから選択した一つの映像データを出力できるため、例えば一つの入力手段のみを有する映像表示装置に接続すれば、当該映像表示装置においても複数の映像データを利用することができる。このとき表示する映像データは制御信号を利用して選択可能である。また、入力される映像データを出力する映像表示装置に入力可能な形式に変換する所定の演算処理を行うことができるため様々な形式の映像データを利用することができる。
【００３６】
請求項９に記載の発明によれば、所定の圧縮符号化形式で圧縮符号化された映像データが入力されても、これを伸張復号化して出力することができる。
【００３７】
請求項１０に記載の発明によれば、カメラ等で撮像された映像データと、テレビ放送された映像データとのいずれか一方を出力することができる。
【００３８】
請求項１１に記載の発明によれば、ＭＰＥＧ４形式で圧縮符号化された映像データが入力されても、これを伸張復号化して出力することができる。
【００３９】
請求項１２に記載の発明によれば、カメラ等で撮像された映像データと、Ｈ.２６４形式で圧縮符号化されて放送される地上デジタルテレビ放送の映像データとのいずれか一方を出力することができる。
【発明を実施するための最良の形態】
【００４０】
＜映像表示装置の構成＞
図１は、この発明の一の実施の形態に係る映像表示装置１の構成を示す図である。当該映像表示装置１は、対象物を撮像した映像をライブビュー表示するカメラとして動作するカメラモードと、地上デジタルテレビ放送を受信した映像を表示するテレビとして動作するテレビモードのいずれかのモードで動作可能な携帯端末である。具体的な携帯端末としては、カメラ機能およびテレビ機能を有する携帯電話の他、携帯ゲーム機やＰＤＡ（Personal Digital Assistants）等が挙げられる。
【００４１】
以下では、映像表示装置１が携帯電話であるものとして説明する。
【００４２】
尚、上述のカメラモードおよびテレビモードでの動作は、当該映像表示装置１である携帯電話の一機能であって、携帯電話であれば、他にも、映像データの表示に係る機能を有している。具体的には、メモリ等に記憶保存された映像データの表示や、ネットワーク上にある映像データのＶＯＤ（Video On Demand）表示等を行うこともできるが、以下では、これら従来の携帯電話が有する機能に係る説明は省略し、本発明に係る機能についてのみ説明を行う。
【００４３】
図１の如く、映像表示装置１は、対象物を撮像した映像データを出力するカメラ部（撮像手段）２と、受信電波から所望のテレビ放送局から送信された電波を抽出するチューナ部３と、チューナ部３で抽出した受信電波をＯＦＤＭ復調するＯＦＤＭ復調部４と、カメラ部２およびＯＦＤＭ復調部４から出力されるデータのいずれか一方を主処理部８に入力可能な形式で出力するデータ処理部（データ処理手段）５と、電話機として動作するための通話機能等、携帯電話の基本機能を実現する主処理部（主処理手段）８と、主処理部８に接続されて主処理部８での処理内容等を表示する液晶ディスプレイ等から成る表示部（表示手段）１０と、から構成される。
【００４４】
また、データ処理部５は、ＯＦＤＭ復調部４から入力されるデータを主処理部８に入力可能な形式の映像データに変換する伸張演算処理ユニット６と、カメラ部２から入力されるカメラデータおよび伸張演算ユニット６から入力されるテレビデータのいずれか一方を選択して出力する出力制御ユニット７と、から構成される。
【００４５】
また、データ処理部５および主処理部８には、互いに命令コマンド等のデータを送受信するためのインターフェース（図中Ｉ／Ｆ）９Ａ，９Ｂが設けられている。
【００４６】
これらの各部、各ユニットは、専用のハードウェア、または専用のハードウェアおよびソフトウェアプログラムによって実現される。カメラ部２、チューナ部３、ＯＦＤＭ復調部４、データ処理部５、主処理部８および表示部１４は、例えばＬＳＩ等の形で、それぞれ別々にモジュール化されており、各モジュール間で命令コマンドやデータ等を送受信することで映像表示装置１としての各種機能を実現する。尚、チューナ部３とＯＦＤＭ復調部４とは別々にモジュール化される態様に限らず、地上デジタルテレビ放送受信モジュールとして一体化される態様であっても構わない。
【００４７】
カメラ部２（撮像手段）は、光学レンズ等を介してＣＣＤまたはＣＭＯＳ等の撮像素子で撮像した信号に画素補間、ガンマ補正、色空間変換等の処理を施し、ＹＵＶ形式の映像データ（第１の映像データ）として出力する機能を有する。
【００４８】
チューナ部３は、地上デジタルテレビ放送の電波を受信し、所望の放送局からの受信電波を抽出する機能を有する。チューナ部３には、放送電波の受信に必要なアンテナ（図示せず）等が含まれる。
【００４９】
ＯＦＤＭ復調部４は、チューナ部３で抽出されたチャンネルの受信電波から、受信データを復調する。ここで復調された受信データは、放送局においてＨ.２６４形式で圧縮符号化された映像データを含んでいる。
【００５０】
ここで、チューナ部３およびＯＦＤＭ部４がデータ出力手段を構成する。
【００５１】
伸張演算ユニット６は、ＯＦＤＭ復調部４から入力される、ＭＰＥＧ４形式をさらに高性能化したＨ.２６４形式で圧縮符号化された受信データに対して、これを伸張復号化する演算処理を施し、ＹＵＶ形式の映像データ（第２の映像データ）に変換して出力する。
【００５２】
尚、チューナ部３およびＯＦＤＭ復調部４により取り出されたテレビ放送の受信データには映像データだけではなく音声データも含まれている。よって、伸張演算ユニット６は、上述したように映像データのみを処理する態様ではなく、音声データについても同様の処理を行う態様であっても構わない。この場合、伸張演算ユニット７によって復号された音声データは、音声データ処理部（図示せず）によって処理し携帯電話の備えるスピーカ（図示せず）等に出力して再生すればよい。
【００５３】
出力制御ユニット７は、カメラ部２から入力されるカメラデータと、伸張演算ユニット６から入力されるテレビデータと、のいずれか一方を選択して主処理部８に出力する機能を有する。いずれのデータを選択するかは、利用者が携帯電話１のボタン等の操作子（図示せず）を操作することにより選択される。具体的には、主処理部８が利用者が選択した動作モードを示す制御信号をＩ／Ｆ（９Ａ，９Ｂ）を介してデータ処理部５に入力し、この制御信号の内容に従って出力制御ユニット７が選択動作を行う。ここで選択されてデータ処理部５から出力されるデータは、カメラデータあるいはテレビデータのいずれの場合でもＹＵＶ形式の映像データである。
【００５４】
ここで、伸張演算ユニット６および出力制御ユニット７を有するデータ処理部５が、映像データ処理装置を構成するが、以下ではデータ処理部５として説明する。
【００５５】
主処理部８では、データ処理部５から入力されたＹＵＶ形式の映像データを表示部１０で表示可能なＲＧＢ形式のデータに変換して出力する。また、主処理部８は、その他にも、通話機能、カメラ部２から入力される映像データを静止画像または動画像として記録保存する機能、電子メールやインターネット等の利用を実現する機能、文書作成やスケジュール管理を行う機能等、従来の携帯電話１が基本機能として有する様々な機能を実現する。即ち、主処理部８は、映像表示装置１である携帯端末が従来から有する機能の全てを実現しながら、データ処理部５から入力される映像データを利用する機能を有している。
【００５６】
表示部１０は、液晶ディスプレイ等から構成され、主処理部８から入力されたＲＧＢ形式の映像データを表示する機能を有する。
【００５７】
尚、主処理部８および表示部１０の機能および動作については、上述した態様の他、表示部１０がＹＵＶ信号からＲＧＢ信号へ変換する機能を有するモジュールであって、主処理部８では入力されたＹＵＶ形式のデータをそのまま表示部１０へ出力する態様であっても構わない。
【００５８】
また、テレビ放送の受信は地上デジタルテレビ放送に限るものではなく、従来から行われているアナログ方式の地上テレビ放送の他、衛星テレビ放送を対象とするものであっても構わない。チューナ部３、ＯＦＤＭ復調部４および伸張演算ユニット６を、受信する電波の形式や映像データの圧縮符号化方式に対応させれば、様々な放送に対応することが可能である。
【００５９】
図１を用いて説明した構成を、図２を用いて説明した従来の携帯電話１１の構成と比較すれば分かるように、本発明によれば、従来の装置の構成を有効に利用することができる。
【００６０】
図２に示したように、携帯電話１１の主処理部１３にＹＵＶ形式のデータ入力が可能な状態であれば、当該主処理部１３とカメラ部１２との間に、図１に示したように主処理部と別モジュール化されたデータ処理部５と、これに接続されるチューナ部３およびＯＦＤＭ復調部４を追加すれば、従来から利用するカメラ部１２をそのまま利用しながら、さらにテレビ放送を受信し表示することが可能となる。このとき、主処理部８では、Ｉ／Ｆ（９Ｂ）の追加や、データ処理部５等にコマンドを入力可能にするためのソフトウェアプログラム等の変更修正等を行うのみでよく、従来の構成を基本構造から変更する必要がない。そのため、従来の主処理部１３上にデータ処理部５の有する機能を追加する場合に比べて、開発にかかる時間やコストを抑制できるという効果がある。
【００６１】
また、従来の構成がそのままでは利用できない場合でも、新たに図１を用いて説明した構成としておけば、将来的な機能の追加や変更にも容易に対応できるという効果がある。
【００６２】
具体的には、例えば、受信するテレビ放送の圧縮符号化方式がＨ.２６４以外の方式に変更になった場合、図１の構成のうちデータ処理部５の伸張演算ユニット６部分の機能および動作を変更するのみで対応することが可能である。
【００６３】
また、放送される電波の形式がＯＦＤＭ形式から変更になった場合は、ＯＦＤＭ復調部４のみを変更することで対応が可能である。あるいは、チューナ部３およびＯＦＤＭ復調部４を、受信電波から所定データを抽出、復調することが可能なハードウェアに変更すると共に、伸張演算ユニット６を当該所定データをＹＵＶ形式の映像データに変換可能なものに変更すれば、新たな送信方式および圧縮符号化方式を採用する放送に対応することも可能である。
【００６４】
さらに、必要なハードウェアを追加して、当該ハードウェアから入力されるデータを処理可能にデータ処理部５を変更すれば、３つ以上のデータから選択した映像データを主処理部８に入力するようにすることも可能である。
【００６５】
このように、携帯電話の基本的な機能を実現する主処理部８に対し、データ処理部５を別モジュール化することで、従来の装置の構成を利用することや、将来的な機能の変更や追加等に容易に対応することが可能である。
【００６６】
＜映像表示装置の動作＞
次に、映像表示装置１の動作について説明する。
【００６７】
利用者は、映像表示装置１である携帯電話のカメラ機能を利用する場合、携帯電話のボタン等の操作子を操作してカメラモードでの動作開始を指示する。
【００６８】
これを受けた主処理部８は、Ｉ／Ｆ（９Ａ，９Ｂ）を利用してカメラモードでの動作であることを示す制御信号をデータ処理部５に入力する。データ処理部５は主処理部８から受信した制御信号に従って、出力制御ユニット７をカメラ部２から入力されるＹＵＶ形式の映像データであるカメラデータを出力するように制御する。このとき、別途カメラ部２に対しても、カメラモードで動作することが主処理部８から通知されるため、カメラ部２では、対象物を撮像したＹＵＶ形式の映像データの出力が開始される。
【００６９】
カメラ部２から入力された映像データは、データ処理部５の出力制御ユニット７から主処理部８へ入力される。主処理部８では、入力された映像データをＲＧＢ形式のデータに変換して出力する。そして、表示部１０では主処理部８から入力されたデータによってカメラ部２で撮像された映像が表示される。
【００７０】
利用者が、映像表示装置１である携帯電話のテレビ機能を利用する場合、携帯電話のボタン等の操作子を操作してテレビモードでの動作開始を指示する。
【００７１】
これを受けた主処理部８は、Ｉ／Ｆ（９Ａ，９Ｂ）を利用してテレビモードでの動作であることを示す制御信号をデータ処理部５に入力する。データ処理部５は主処理部８から受信した制御信号に従って、出力制御ユニット７を伸張演算ユニット６から入力されるＹＵＶ形式の映像データであるテレビデータを出力するように制御する。
【００７２】
このとき、別途チューナ部３およびＯＦＤＭ復調部４に対しても、テレビモードで動作することが主処理部８から通知される。チューナ部３ではテレビ放送を受信して所定チャンネルの受信電波を抽出する。そして、ＯＦＤＭ復調部４では、チューナ部３で抽出された受信電波を復調してＨ.２６４形式で圧縮符号化された映像データを含む受信データをデータ処理部５へ出力する。尚、チューナ部３で抽出するチャンネルは利用者が携帯電話の操作子を操作して指示することができる。
【００７３】
ＯＦＤＭ復調部４から入力された受信データは、伸張演算ユニット６によって伸張されてＹＵＶ形式の映像データに変換されて出力される。そして、このＹＵＶ形式の映像データであるテレビデータは、出力制御ユニット７を介して主処理部８へ入力される。
【００７４】
主処理部８では、入力された映像データをＲＧＢ形式のデータに変換して出力する。
【００７５】
そして、表示部１０では主処理部８から入力されたデータによってチューナ部３で選択されたチャンネルのテレビ放送による映像が表示される。
【００７６】
このように動作することで、当該表示装置１を利用する利用者は、カメラで撮像された映像データと、テレビ放送された映像データとのいずれか一方を選択して閲覧することができる。
【００７７】
尚、本実施形態は一例であって、本発明はこれに限定されるものではない。複数の映像データの入力に対応し、入力された映像データを主処理部８に入力可能な形式に変換した上で選択した一つの映像データを出力することが可能なデータ処理部５が、従来からの携帯端末としての機能を実現する主処理部８とは別モジュールであれば、上述した以外の態様であっても構わない。具体的には、例えば、入力されるデータが３つ以上であってもよいし、入力されるデータがカメラデータやテレビデータ以外のデータであっても構わない。
【００７８】
このように、データ処理部５（データ処理装置）を、主処理部８とは別モジュール化することで、従来の装置を構成する主処理部を利用することや、将来的な機能の変更や追加等に対応することが容易となる。
【図面の簡単な説明】
【００７９】
【図１】この発明の一実施の形態に係る映像表示装置の構成を示す図である。
【図２】従来の映像表示装置の構成を示す図である。
【符号の説明】
【００８０】
１  映像表示装置
２  カメラ部
３  チューナ部
４  ＯＦＤＭ復調部
５  データ処理部
６  伸張演算ユニット
７  出力制御ユニット
８  主処理部
１０  表示部
【図１】
2006180345.tif 000003
【図２】
2006180345.tif 000004